(57)【特許請求の範囲】
【請求項１】
表示パネル背面に取り付けられたシャーシと、
前記シャーシの背面に取り付けられ、前記シャーシとの間にケーブル通過用の開口が形成されているフレームと、
前記シャーシの背面に、前記フレームの開口を通過するように配置されているケーブルと、
前記フレームに取り付けられ、前記ケーブルを前記シャーシ方向に押圧する弾性部材と、
を備え、
前記フレームは、底壁と二つの側壁とからなる略コの字の断面形状を有するものであり、
前記弾性部材は、可撓性を有するシート材であり、
前記シート材は、その両側部が前記フレームの側壁にそれぞれ内接し、かつ、前記両側部の間の中間部が前記シャーシの側に凸になるように、前記フレーム内部に取り付けられることを特徴とする画像表示装置。
【請求項２】
前記シャーシの背面に、前記フレームの開口を通過するように複数のケーブルが配置され、
前記シート材は、前記複数のケーブルを前記シャーシ方向に押圧する
ことを特徴とする請求項１に記載の画像表示装置。
【請求項３】
前記シャーシ及び前記シート材は、導電性を有する
ことを特徴とする請求項１または２に記載の画像表示装置。
【請求項４】
前記シート材は、前記フレームの底壁に設けられた孔から前記フレームの外側に突き出る凸部を有しており、
前記ケーブルの配線時には前記凸部が引き出されることで前記シート材の中間部が前記シャーシから離間可能であり、
前記フレームの底壁に他の部材が取り付けられ前記凸部が押し込まれることにより、前記シート材の中間部が前記シャーシに当接する
ことを特徴とする請求項１〜３のいずれか１項に記載の画像表示装置。
【請求項５】
前記シート材には、前記ケーブルを前記シャーシ方向に押圧した前記中間部がたわむように、前記両側部に切欠きが設けられている
ことを特徴とする請求項１〜４のいずれか１項に記載の画像表示装置。
【請求項６】
前記シャーシの背面には、凹面と凸面とが形成されており、
前記フレームは、前記シャーシの凸面に固定され、
前記ケーブルは、前記シャーシの凹面に配置され、
前記シート材の前記中間部が前記シャーシの凸面に接触しないように、前記シート材の前記中間部に開口部が設けられている
ことを特徴とする請求項１〜５のうちいずれか１項に記載の画像表示装置。
【発明の詳細な説明】
【技術分野】
【０００１】
本発明は、画像表示装置に関し、特に画像表示装置の表示パネル背面におけるケーブル保持構造に関する。
【背景技術】
【０００２】
近年、大画面の薄型表示装置の需要が増大している。また、表示装置本体の設置方法も壁掛け設置やスタンド設置等の需要がある。それに伴い表示装置を支える梁状の金属製のフレームを表示パネルの背面に複数配置する必要がある。また、表示装置本体の薄型化を実現するために、回路基板は表示パネル背面にフレームを避け、限られた範囲に実装する必要がある。以上の理由により、回路基板間を接続するケーブルはフレームを横切る必要がある。具体的には、フレームに開口を設け、そこにケーブルを通すのである。しかし、薄型表示装置を搬送、設置する際に薄型表示装置本体内部にも振動が伝わり、ケーブルがフレーム開口のエッジに接触して、ケーブルの被膜が傷つく可能性があった。また、フレキシブルケーブル等の薄いケーブルでは断線してしまう可能性がある。
【０００３】
このため、薄型表示装置では回路基板を接続するケーブルをフレームから保護するため、テープ等の保護部材を用いるか、もしくは以下に示すようなケーブルクランプによる保持構造が用いられている。
【０００４】
図１０は、従来技術に係る薄型表示装置の分解斜視図である。表示パネル１１１の背面にはシャーシ１１２が取り付けられている。シャーシ１１２の背面には、薄型表示装置本体１０１をスタンド１０２に固定し支持するためのフレーム１１３が配置されている。フレーム１１３は薄板の金属を曲げ加工にて断面を略コの字形状にした梁状の部材である。シャーシ１１２の背面には表示パネル１１１を駆動させる回路基板１１４が実装されている。各回路基板１１４や表示パネル１１１はケーブル１１５によって接続されている。表示パネル１１１や回路基板１１４は外部に対してベゼル１１７やリアカバー１１８によって保護されている。
【０００５】
次に、図１１を用いて従来技術のケーブルクランプを説明する。図１１は従来技術に係るケーブルクランプの斜視図を示す。ケーブルクランプ１１６はケーブル１１５を結束するバンド部１１６ａとシャーシ１１２の取付穴１１２ａに嵌合させるツメ形状を有する台座部１１６ｂからなる。ケーブルクランプ１１６は、シャーシ１１２に対して着脱可能である。ケーブルクランプ１１６はケーブル１１５を傷つけないようにナイロン等の弾性が強い樹脂でできている。
【０００６】
次に、図１２を用いて従来技術のケーブル保持構造について説明する。図１２は従来技術に係るケーブル保持構造を示す薄型表示装置の斜視図を示す。第１の基板１１４ａと第２の基板１１４ｂを接続するケーブル１１５ａは、シャーシ１１２とフレーム１１３の間に設けられた開口１１３ａを通過するように配線される。通過させたケーブル１１５ａは、ケーブルクランプ１１６によって結束され保持されている。
【０００７】
特許文献１には、基板に固定された補強用のフレーム内にケーブルが配置される構成が開示されている。
【特許文献１】特開２００６−０１８０２７号公報
【発明の開示】
【発明が解決しようとする課題】
【０００８】
しかしながら従来は上述したように、ケーブルをフレームのエッジから保護するために、ケーブルもしくはフレーム開口に保護部材を取り付けたり、ケーブルクランプでケーブルを固定したりする必要があり、作業が面倒であった。特にケーブルクランプを用いる場合は、作業者が注意してケーブルを結束・固定しないとケーブルにたわみが生じ、ケーブルがフレームのエッジに接触する可能性があった。また、ケーブルの保持状態が不安定なので不要輻射の状態も不安定になってしまう可能性があった。
【０００９】
本発明の目的は、画像表示装置において簡易な構造でケーブルを安定的に保持するための技術を提供することである。
【課題を解決するための手段】
【００１０】
本発明に係る画像表示装置は、表示パネル背面に取り付けられたシャーシと、前記シャーシの背面に取り付けられ、前記シャーシとの間にケーブル通過用の開口が形成されているフレームと、前記シャーシの背面に、前記フレームの開口を通過するように配置されているケーブルと、前記フレームに取り付けられ、前記ケーブルを前記シャーシ方向に押圧する弾性部材と、を備え、前記フレームは、底壁と二つの側壁とからなる略コの字の断面形状を有するものであり、前記弾性部材は、可撓性を有するシート材であり、前記シート材は、その両側部が前記フレームの側壁にそれぞれ内接し、かつ、前記両側部の間の中間部が前記シャーシの側に凸になるように、前記フレーム内部に取り付けられることを特徴とする画像表示装置である。
【発明の効果】
【００１１】
本発明によれば、画像表示装置において簡易な構造でケーブルを安定的に保持することができる。
【発明を実施するための最良の形態】
【００１２】
以下に図面を参照して、この発明の好適な実施の形態を例示的に詳しく説明する。
【００１３】
（実施形態１）
以下、図に基づいて本発明の実施形態１を説明する。図１は、本実施形態に係る薄型表示装置（画像表示装置）の分解斜視図を示す。この薄型表示装置は、表示パネル１１を有している。表示パネルとしては、プラズマディスプレイパネル、ＦＥＤパネル、表面伝導型放出素子を用いたディスプレイパネル、液晶ディスプレイパネル、有機ＥＬディスプレイパネルなどが適用できる。表示パネル１１の背面には、表示パネルを保持するためのシャーシ１２が取り付けられている。シャーシ１２の外形は表示パネル１１と略同サイズである。シャーシ１２は導電性金属（たとえばアルミニウム）からなり、電気回路的にはシャーシグランドとして機能している。シャーシ１２の背面（つまり表示パネル１１の反対側）には、薄型表示装置本体１をスタンド２に固定し支持するための梁状のフレーム１３が配置されている。シャーシ１２の背面には、表示パネル１１を駆動させる複数の回路基板１４がフレーム１３を避けるように実装されている。各回路基板１４や表示パネル１１は、ケーブル１５によって接続されている。表示パネル１１や回路基板１４は外部に対してベゼル１７やリアカバー１８によって保護されている。
【００１４】
次に図２を用いてフレーム１３と保護シート１６（弾性部材）の詳細を説明する。図２は本実施形態に係るフレームおよび保護シートの斜視図を示す。
【００１５】
フレーム１３は、薄板の金属を曲げ加工して成形した、底壁１３ｄと二つの側壁１３ｅとからなる略コの字形状の断面形状を有する梁状の部材である。フレーム１３の側壁１３ｅの先端にはフランジ１３ｆが設けられており、フレーム１３はシャーシ１２にネジで固定される。フレーム１３の底壁１３ｄには複数の孔１３ａが設けられている。フレーム１３の側壁１３ｅには、ケーブル通過用の開口１３ｃが複数形成されている。フレーム１３の中空部には開口１３ｃを通過するケーブルをシャーシ方向に押圧するための弾性部材が取り付けられる。本実施形態では弾性部材として可撓性を有するシート材からなる保護シート１６が用いられる。
【００１６】
保護シート１６の材質は、ＰＥＴ（ポリエチレンテレフタレート）である。保護シート１６は略矩形状であり、ケーブルを押圧する部分である中間部１６ｆとその中間部１６ｆの両側を支持するための二つの側部１６ｅとを有する。保護シート１６の側部１６ｅの端辺には、複数の凸部（凸片）１６ｄが設けられている。それぞれの凸部１６ｄの先端は、略９０度内側に折れ曲がってフランジ部１６ａを形成する。保護シート１６は、その両側部１６ｅがフレーム１３の側壁１３ｅにそれぞれ内接し、かつ、両側部１６ｅの間の中間部１６ｆがシャーシ１２の側に凸になるように、フレーム内部（中空部）に取り付けられる。このとき、保護シート１６の凸部１６ｄがフレーム１３の底壁１３ｄに設けられた孔１３ａから外側に突き出る。そして、フランジ部１３ａがフレーム１３に引っ掛かり係合することで、保護シート１６がフレーム１３から脱落するのが防止される。ここでフレーム１３に対して図２に示すように方向Ｘ、Ｙ、Ｚを規定すると、保護シート１６は、フレーム１３の側壁１３ｅによってＸ方向に関して拘束され、フレーム１３の孔１３ａによってＺ方向に関して拘束されている。したがって、保護シート１６はＹ方向（つまりシャーシ１２の表面に対して垂直な方向）に関してのみ自由度を有している。
【００１７】
次に、図３、図４を用いてケーブル保持構造について説明する。図３は本実施形態に係るケーブル配線時の薄型表示装置の断面図を示し、図４は本実施形態に係るケーブルの保持構造を示す薄型表示装置の断面図を示す。図３に示すように、コネクタ１５ｂは、ケーブル１５ａの、回路基板１４ｂに接続する側の端部に圧着されている。片側を第１の回路基板１４ａに接続したケーブル１５ａを第２の回路基板１４ｂに接続する際、作業者はコネクタ１５ｂを持ちフレーム１３の開口１３ｃを通過させようとする。前記したように保護シート１６はフレーム１３に対してＹ方向に自由度を有しており、作業者は保護シート１６のフランジ部１６ａをつまみ、凸部１６ｄを引き出すことにより、保護シート１６をＹ上方向に移動させることができる。この時保護シート１６の中間部１６ｆがシャーシ１２から離間するので、ケーブル１５ａは、フレーム１３を容易に通過することができる。このようにしてコネクタ１５ｂは、回路基板１４ｂに接続される。図４に示すようにケーブル類を配線した後、リアカバー１８（他の部材）がネジ１９にてフレーム１３の底壁１３ｄに取り付けられる。このとき、リアカバー１８によって保護シ−ト１６の凸部１６ｄがフレーム１３内に押し込まれることにより、保護シート１６の中間部１６ｆがシャーシ１２に当接する。また、凸部１６ｄのフランジ部１６ａがフレーム１３とリアカバー１８によって挟み込まれ、保護シート１６がＹ方向に関して拘束される。この保護シート１６の弾性力によって、フレーム１３の開口１３ｃの部分においてケーブル１５ａがシャーシ方向に押圧され固定される。
【００１８】
本実施形態の効果を説明する。図５は本実施形態に係るケーブルの保持部の詳細断面図を示す。図５に示すように、金属製のフレーム１３の開口１３ｃには加工痕等のエッジ１３ｂがある。ケーブル１５は、保護シート１６でシャーシ１２に押圧されているためフレーム１３のエッジ１３ｂには接触しない。そのため、確実にケーブルをフレームのエッジから保護できる。また、一つの保護シートで複数のケーブルを同時に押圧（固定）することができるため、部品点数の削減、コストの低減、構成の簡易化が図れる。また、ケーブル１５がシャーシ１２に密着するように固定されるため、不要輻射の状態が安定する。また、可撓性のシート材をフレーム１３の中空部に取り付けるという簡易な構成ゆえ、組み立てや分解（リサイクル）も容易である。また、凸部１６ｄを引き出すだけで保護シート１６をシャーシ１２から離間可能であるため、ケーブル１５の配線作業が容易である。しかも、リアカバー１８を取り付けるだけで保護シート１６の押圧力を発揮させることができるため、ケーブル１５の固定も極めて容易である。
【００１９】
本実施形態では、シャーシ１２の材質はアルミニウムを例にとったが、材質はこれに限定されるものではない。シャーシ１２の材質は導電性を有する部材であれば、本発明に適
用可能である。
【００２０】
また、本実施形態では、薄板の金属を曲げ加工することによりフレーム１３を成形したが、フレームの材質、加工法、固定手段は本実施形態のものに限定されない。たとえば、押出し加工等でフレームを成形することも可能である。またフレームの形状はシャーシとの間にケーブル通過用の開口があり、弾性部材を固定するための中空部を有していればよいので、コの字形状に限定されない。
【００２１】
また、弾性部材はＰＥＴのシート材に限定されない。たとえば、弾性部材の材質は、ＰＣ等の樹脂材料、ステンレス等の金属、ウレタン等の発泡材料、その他の弾性材料でもよい。特に、弾性部材が、導電性を有する材料から形成されているか、あるいは、そのケーブル押圧部が導電性を有しているとよい。導電性を有する弾性部材でケーブルをシャーシ（グランド）に押し付けることにより、グランドが強化され、不要輻射の状態がさらに安定するという効果が得られるからである。
【００２２】
また、フレームの開口部分においてケーブルに対する押圧力（弾性力）を発揮できれば、弾性部材の形状・構造はどのようなものでもよい。たとえば、板バネやコイルバネのようなバネ材でもよいし、フレームの中空部に合わせて成形されたウレタン材でもよい。
【００２３】
（実施形態２）
以下、図に基づいて本発明の実施形態２を説明する。図６は、本実施形態に係る保護シートおよびフレームの斜視図を示す。薄型表示装置の構成は実施形態１と同一であり、その詳細な説明は省略する。本実施形態の薄型表示装置では、図６に示すように、保護シート１６の側部１６ｅのケーブルに対応する位置に切欠き１６ｂが設けられている。
【００２４】
この効果について図７を用いて説明する。図７は、本実施形態に係るケーブルの保持構造を表した薄型表示装置の斜視図を示す。図７の例では、フレキシブルケーブル等の薄い第１のケーブル１５ｃと、電源ケーブル等のケーブル径が大きい第２のケーブル１５ｄとが隣り合って配置されている。保護シート１６は、第２のケーブル１５ｄを押圧する部分の側部１６ｅに切欠き１６ｂを有しているこの切欠き１６ｂにより、第２のケーブル１５ｄに対応するケーブル押圧部が折れ曲がるようにたわむ。よって、保護シート１６は、第１のケーブル１５ｃと第２のケーブル１５ｄを確実にシャーシに押圧することができる。以上の理由により、本実施形態の保護シート１６を用いれば太さが異なる複数のケーブルを同時に安定的にシャーシ１２に押圧することができる。
【００２５】
本実施形態では、長方形の切欠き１６ｂを例示したが、切欠きの形状はこれに限られない。保護シート１６のケーブル押圧部が折れ曲がるようにたわめばよいので、三角形の切欠き１６ｂでもよいし、一直線の切り込みでもよい。
【００２６】
（実施形態３）
以下、図に基づいて本発明の実施形態３を説明する。図８は、本実施形態に係る保護シートおよびフレームの斜視図を示す。薄型表示装置の構成は実施形態１と同一であり、その詳細な説明は省略する。本実施形態では、図８に示すように、保護シート１６の中間部１６ｆの一部分に開口部１６ｃが設けられる。
【００２７】
この効果について図９を用いて説明する。図９は、本実施形態に係るケーブルの保持構造を表した薄型表示装置の斜視図を示す。シャーシ１２を補強する目的で、絞り加工によってシャーシ１２に凸面１２ａと凹面１２ｂが形成されている。フレーム１３はシャーシ１２の凸面１２ａに固定され、ケーブル１５は凹面１２ｂに配線される。本実施形態の保護シート１６は、シャーシ１２の凸面１２ａに対応する位置に、開口部１６ｃを有してい
る。よって、保護シート１６の中間部１６ｆ（ケーブル押圧部）はシャーシ１２の凸面１２ａに接触することなく、ケーブル１５を確実に押圧することができる。以上の理由により、本実施形態を用いればシャーシの表面形状が一様でない場合でも保護シートによりケーブルをシャーシに押圧することができる。
【００２８】
本実施形態では、開口部１６ｃはシャーシの形状に合わせて設けた。しかし、開口は、シャーシの凸部に干渉しないように形成すればよく、本実施形態は、開口の形状を限定するものではない。
【図面の簡単な説明】
【００２９】
【図１】本発明の実施形態１に係る薄型表示装置の分解斜視図である。
【図２】本発明の実施形態１に係るフレームおよび保護シートの斜視図である。
【図３】本発明の実施形態１に係るケーブル配線時の薄型表示装置の断面図である。
【図４】本発明の実施形態１に係るケーブルの保持構造を示す薄型表示装置の断面図である。
【図５】本発明の実施形態１に係るケーブルの保持部の詳細断面図である。
【図６】本発明の実施形態２に係るフレームおよび保護シートの斜視図である。
【図７】本発明の実施形態２に係るケーブルの保持構造示す薄型表示装置の斜視図である。
【図８】本発明の実施形態３に係るフレームおよび保護シートの斜視図である。
【図９】本発明の実施形態３に係るケーブルの保持構造を示す薄型表示装置の斜視図である。
【図１０】従来技術に係る薄型表示装置の分解斜視図である。
【図１１】従来技術に係るケーブルクランプの斜視図である。
【図１２】従来技術に係るケーブルの保持構造を示す薄型表示装置の斜視図である。
【符号の説明】
【００３０】
１  薄型表示装置（画像表示装置）
２  スタンド
１１  表示パネル
１２  シャーシ
１２ａ  凸面
１２ｂ  凹面
１３  フレーム
１３ａ  孔
１３ｂ  加工痕のエッジ
１３ｃ  ケーブル通過用の開口
１３ｄ  底壁
１３ｅ  側壁
１３ｆ  フランジ
１４、１４ａ、１４ｂ  回路基板
１５、１５ａ、１５ｃ、１５ｄ  ケーブル
１５ｂ  コネクタ
１６  保護シート（弾性部材）
１６ａ  フランジ部
１６ｂ  切欠き
１６ｃ  開口部
１６ｄ  凸部
１６ｅ  両側部
１６ｆ  中間部
１７  ベゼル
１８  リアカバー（他の部材）
１９  ネジ
【図１】
0004991492.tif 000002
【図２】
0004991492.tif 000003
【図３】
0004991492.tif 000004
【図４】
0004991492.tif 000005
【図５】
0004991492.tif 000006
【図６】
0004991492.tif 000007
【図７】
0004991492.tif 000008
【図８】
0004991492.tif 000009
【図９】
0004991492.tif 000010
【図１０】
0004991492.tif 000011
【図１１】
0004991492.tif 000012
【図１２】
0004991492.tif 000013